(57)【要約】【課題】正式な三味線撥へスムーズに移行するための力の掛け方を正しく習得することができる持ち方矯正具及び練習用三味線撥並びにこれらに用いられる持ち方矯正構造を提供する。【解決手段】練習用三味線撥２は四角柱状の本体部４を有する。本体部４の長手方向後端側の才尻４ａには、小指及び薬指で挟持する対極位置にある挟持面４ｂ、４ｃのそれぞれに対極方向へ凸部６ａ、６ｂが突設されている。２つの挟持面４ｂ、４ｃの間の上面４ｄには、挟持した際の小指のＭＰ関節の動きを規制する支持具７が立設されている。支持具７は、本体部４に固定する固定部８、本体部４から所定の間隔を空けるスペーサー部９及びＭＰ関節に当接する規制部１０からなる。規制部１０は、後端側への動きを規制する後方規制部１２と、長手方向に直交する方向への回転を規制する回転規制部１４とが略Ｌ字型に形成されている。【選択図】図１
2017194522.tif 000002
【特許請求の範囲】
【請求項１】
三味線撥に設けられた持ち方矯正構造であって、
才尻の４側面のうち、小指及び薬指で挟持される対極方向の２つの挟持面側から突設され、前記小指及び薬指の前端側への移動を規制する一対の凸部と、
前記凸部の位置を含む長手方向後端側の近傍で、前記２つの挟持面の間の他の側面から離間した位置に設けられ、挟持した前記小指のＭＰ関節の前記後端側への移動を規制する後方規制部と、
を備えたことを特徴とする持ち方矯正構造。
【請求項２】
前記後方規制部は、少なくとも、前記対極方向において前記挟持面よりも前記小指側の前記凸部の突設する側に設けられていることを特徴とする請求項１に記載の持ち方矯正構造。
【請求項３】
前記後方規制部よりも前記前端側であって、前記小指側の前記挟持面から前記凸部が突設する方向へ離間し、且つ、前記他の側面に対して前記後方規制部と同程度の高さに配置されており、前記才尻の長手方向を軸とした前記小指のＭＰ関節の外縁側への回転を規制する回転規制部を備えたことを特徴とする請求項２に記載の持ち方矯正構造。
【請求項４】
請求項１に記載の持ち方矯正構造を有した、三味線撥に脱着可能な持ち方矯正具であって、
前記２つの挟持面側を部分的に覆うように対向した２つの被覆部を有し、前記才尻に脱着可能な枠体を備え、
前記一対の凸部は、前記２つの被覆部から対極方向へそれぞれ突設されており、
前記後方規制部は、前記才尻に前記枠体を装着した状態において、前記凸部の位置を含む前記三味線撥の長手方向後端側の近傍で、前記２つの挟持面の間の他の側面から離間した位置に、前記枠体と一体に設けられていることを特徴とする持ち方矯正具。
【請求項５】
請求項１又は２に記載の持ち方矯正構造を有する練習用三味線撥であって、
前記才尻から前記前端までの本体部が前記才尻と同じ四角柱で形成されており、
前記一対の凸部同士を結ぶ線分が、前記四角柱の延びる方向と直交していることを特徴とする練習用三味線撥。
【請求項６】
請求項１又は２に記載の持ち方矯正構造を有する練習用三味線撥であって、
前記前端側が、前記一対の凸部の突出方向へ銀杏葉型に張り出して形成されており、
前記一対の凸部のうち前記薬指を掛ける側が前記小指側よりも前記前端寄りに配置されていることを特徴とする練習用三味線撥。
【発明の詳細な説明】
【技術分野】
【０００１】
本発明は、三味線演奏技術の習得のための三味線撥の持ち方矯正具及び練習用三味線撥、並びに、これらに用いられる持ち方矯正構造に関する。
【背景技術】
【０００２】
伝統的な銀杏葉形状をした撥を用いた三味線演奏技術の習得において、「撥の持ち方」は最も初期に指導を受ける項目であるが、日常では同様の持ち方をするものはない。そのため、その持ち方は、初めての者にとっては、強い違和感を覚えるものであり、指の配置と力の掛かり具合とを正確に理解するのは極めて難しい。
【０００３】
ところが、実際に上級者の撥を持つ手元を見ると、一様に特別な変わった持ち方をしているものである。それは、これが音質を決める重要な技術要素の一つであることに他ならず、伝統的形状の撥に適した安定した持ち方でもある。そのため、この上級者の持ち方こそが「正しい持ち方」として指導されるのであり、三味線演奏技術習得を目指す者の誰もが、より早く習得したいと願っているものである。
【０００４】
一般に、この持ち方の特徴は「鷲掴み」などと表現され、初心者向け教本、インターネットの動画サイトなどにおいて、「撥の裏から見た時、小指と親指とが同じ方向を向く」、「小指の根元の関節（ＭＰ関節）の骨が飛び出さないように」などと、細部の特徴が説明されている。
【０００５】
しかし、実際には教本に説明されているほど簡単ではなく、撥の振り方、弦の弾き方など、他の技術要素と相互に影響し合って成り立っているため、少しずつ修正を繰り返し、習得には長い時間を要するのが現状である。「癖がつくとなかなか治らない」と言われる一つの理由がそこにある。
【０００６】
そして、正しい持ち方が身に付くまでの期間には、「持ち難い」、「汗で撥が滑り、回転する」、「小指が角に当たって痛い」などの不都合も生じ易い。そのため、かかる問題を解決するために、例えば、特許文献１には、操作性を改善することを目的に、小指を通す穴と他の指を掛ける突起部とを設けた撥が開示されている。また、特許文献２には、手汗による滑りを防止することを目的に、撥手許側面に中指と薬指で挟むための突起と撥手許下面に滑り止めのための起毛テープを貼り付けることが開示されている。さらに、特許文献３には、小指が撥から外れ、撥が回転することを補助する目的で、撥下面の所定の位置に小指を通すためのリングを設けることが提案されている。
【先行技術文献】
【特許文献】
【０００７】
【特許文献１】実開昭５１−１２１３１４号公報
【特許文献２】実用新案登録第３１８５０６８号公報
【特許文献３】実開平１−７３８９５号公報
【発明の概要】
【発明が解決しようとする課題】
【０００８】
図８は、三味線撥１１０の持ち方を示した図である。このうち図８（ａ）は三味線撥１１０の裏面から見た図であり、図８は（ｂ）は側面から見た図である。三味線撥１１０は、才尻１１０ａ（三味線の撥の手に持つ四角柱状の部分。）を小指１０５と薬指１０４と
で挟むと共に、その指先を裏面に回して保持されなければならない。また、親指１０１は銀杏葉形状に広がった前端側の表面のうち、小指１０５が接している側面寄りの位置を押さえるようにして配置される。人差し指１０２及び中指１０３は薬指１０４と同じ側の側面から裏面へ回して配置される。これにより、表面側は才尻１１０ａを小指１０５及び薬指１０４の股で押さえると共に前端側を親指１０１で押さえ、裏面側から残りの３本の指で押し返すように把持される。このとき、小指１０５と薬指１０４とで才尻１１０ａの対極位置にある側面をしっかりと挟持していなければ、演奏時に必要な方向へ力を加えることはできない。各指の力の向きは図８中に矢印で示されている。
【０００９】
しかしながら、人の手には多くの関節があるため、多少の無理はあってもそれなりに把持できてしまう。したがって、上述のように従来から様々な提案はあるものの、選択の余地のないような矯正法でなければ、一部に崩れが生じ、正しい持ち方に誘導することは容易ではない。その一部の崩れを矯正するために長い時間を要する場合も生じ得る。
【００１０】
例えば、上述の特許文献１に開示されている改良三味線撥は、持ち易いように突起部や穴が形成されているが、銀杏葉形状ではない。よって、この改良三味線撥で演奏できるようになったとしても、正式な三味線撥を使いこなせるようにはならない。
【００１１】
また、特許文献２に開示されている三味線用撥は、正式な三味線撥と同形状の本体を有しているが、側面から突き出た突起物を中指と薬指とで挟むように持たせる構成となっており、小指については何ら規制されていないので、小指の力の掛け方や位置を正確に矯正することは難しい。
【００１２】
また、特許文献３に開示されている三味線撥の張りゴムには、小指を通す楕円形の輪が形成されている。このため、小指を規制することはできるが、位置を規制するのみであり、才尻に対する力の掛け方を習得することは難しい。
【００１３】
そこで、本発明では、正式な三味線撥へスムーズに移行するための力の掛け方を正しく習得することができる持ち方矯正具及び練習用三味線撥並びにこれらに用いられる持ち方矯正構造を提供することを目的とする。
【課題を解決するための手段】
【００１４】
上記目的を達成するために、本発明の持ち方矯正構造は、三味線撥に設けられた持ち方矯正構造であって、才尻の４側面のうち、小指及び薬指で挟持される対極方向の２つの挟持面側から突設され、前記小指及び薬指の前端側への移動を規制する一対の凸部と、前記凸部の位置を含む長手方向後端側の近傍で、前記２つの挟持面の間の他の側面から離間した位置に設けられ、挟持した前記小指のＭＰ関節の前記後端側への移動を規制する後方規制部とを備えたことを特徴とする。
【００１５】
また、本発明の持ち方矯正構造は、上記構成に加えて、前記後方規制部は、少なくとも、前記対極方向において前記挟持面よりも前記小指側の前記凸部の突設する側に設けられていることを特徴とする。
【００１６】
また、本発明の持ち方矯正構造は、上記構成に加えて、前記後方規制部よりも前記前端側であって、前記小指側の前記挟持面から前記凸部が突設する方向へ離間し、且つ、前記他の側面に対して前記後方規制部と同程度の高さに配置されており、前記才尻の長手方向を軸とした前記小指のＭＰ関節の外縁側への回転を規制する回転規制部を備えたことを特徴とする。
【００１７】
また、本発明の持ち方矯正具は、上記構成の持ち方矯正構造を有した、三味線撥に脱着
可能な持ち方矯正具であって、前記２つの挟持面側を部分的に覆うように対向した２つの被覆部を有し、前記才尻に脱着可能な枠体を備え、前記一対の凸部は、前記２つの被覆部から対極方向へそれぞれ突設されており、前記後方規制部は、前記才尻に前記枠体を装着した状態において、前記凸部の位置を含む前記三味線撥の長手方向後端側の近傍で、前記２つの挟持面の間の他の側面から離間した位置に、前記枠体と一体に設けられていることを特徴とする。
【００１８】
また、本発明の練習用三味線撥は、上記構成の持ち方矯正構造を有する練習用三味線撥であって、前記才尻から前記前端までの本体部が前記才尻と同じ四角柱で形成されており、前記一対の凸部同士を結ぶ線分が、前記四角柱の延びる方向と直交していることを特徴とする。
【００１９】
また、本発明の練習用三味線撥は、上記構成の持ち方矯正構造を有する練習用三味線撥であって、前記前端側が、前記一対の凸部の突出方向へ銀杏葉型に張り出して形成されており、前記一対の凸部のうち前記薬指を掛ける側が前記小指側よりも前記前端寄りに配置されていることを特徴とする。
【発明の効果】
【００２０】
以上のように、本発明によれば、才尻の４側面のうち、対極方向の挟持面側から一対の凸部が突設されているので、前端側への滑りを規制するように小指及び薬指で挟持することができる。そして、長手方向における、凸部の位置を含む近傍で、対極方向の挟持面の間の他の側面から離間した位置に後方規制部が設けられているので、この後方規制部に少なくとも小指のＭＰ関節の外側を宛がうことによって、ＭＰ関節を反らせるようにして才尻を挟持することが可能となる。
【００２１】
また、本発明によれば、上記効果に加えて、少なくとも、挟持面よりも小指側の凸部の突設する側に後方規制部が設けられているので、小指のＭＰ関節を確実に反らせるようにして才尻を挟持することが可能となる。
【００２２】
また、本発明によれば、上記効果に加えて、後方規制部よりも前端側であり、小指側に配置された凸部の突設する向きに離間し、且つ、後方規制部と同程度の高さになるように他の側面から離間する位置に回転規制部が設けられているので、この回転規制部は小指のＭＰ関節の外側に当接する。これにより、才尻を中心にして小指の外側へ挟持した手が回転してしまうことを確実に防止することが可能となる。
【００２３】
また、本発明によれば、上記効果に加えて、２つの挟持面を部分的に覆うように対向した２つの被覆部から一対の凸部が突設されるとともに、後方規制部が一体に設けられた枠体が、才尻に対して脱着可能となるように構成されているので、一般の三味線撥を加工することなく、持ち方矯正構造を付設することが可能となる。
【００２４】
また、本発明によれば、上記効果に加えて、本体部が才尻と同じ四角柱に形成され、一対の凸部同士を結ぶ線分が四角柱の延びる方向と直交しているので、小指及び薬指の双方から略等距離の位置に親指を押し付けて本体部を安定して把持することが可能となる。
【００２５】
また、本発明によれば、上記効果に加えて、前端側が銀杏葉型に形成され、一対の凸部のうち、薬指を掛ける側が小指側よりも前端よりに配置されているので、一対の凸部同士を結ぶ線分と直交する方向の延長上に、銀杏葉型に張り出した前端の小指側が重なる。これにより、小指及び薬指の双方から略等距離であって、且つ、銀杏葉型に張り出した小指側の前端に親指を押し付けて本体部を安定して把持することが可能となる。
【図面の簡単な説明】
【００２６】
【図１】本発明の第１の実施の形態にかかる練習用三味線撥を示した全体斜視図である。
【図２】図１の練習用三味線撥を挟持した小指側から見た使用状態を示す側面図である。
【図３】図１の練習用三味線撥を表し、（ａ）は正面図、（ｂ）は平面図、（ｃ）は前端側から見た側面図である。
【図４】本発明の第２の実施の形態にかかる練習用三味線撥を示した全体斜視図である。
【図５】図４の練習用三味線撥を表し、（ａ）は正面図、（ｂ）は平面図、（ｃ）は前端側から見た側面図である。
【図６】本発明の第３の実施の形態にかかる練習用三味線撥を示した全体斜視図である。
【図７】本発明の第４の実施の形態にかかる三味線撥の持ち方矯正具を示した斜視図である。
【図８】三味線撥の持ち方を示した図である。
【発明を実施するための形態】
【００２７】
以下、本発明の実施の形態にかかる持ち方矯正具及び練習用三味線撥並びにこれらに用いられる持ち方矯正構造について、図を用いて説明する。
【００２８】
（第１の実施の形態）
図１は、本発明の第１の実施の形態に係る練習用三味線撥２を示した全体斜視図である。以降、この図１に示した練習用三味線撥２を単に練習撥２と呼ぶこととする。
【００２９】
練習撥２は、四角柱の角材で形成された本体部４を有している。本体部４に角材を用いた理由は、従来撥の握りの才尻は矩形断面であり、これを模したためである。しかし、本体部４の形状、大きさについては、少なくとも、手に持つ部分である才尻４ａに四角柱の部分が形成されていれば良く、その他の部分については、板状、円柱状（丸棒）など、親指を載置できる部分を有する構造を有する他の形状であっても構わない。
【００３０】
この本体部４の才尻４ａを形成する４側面のうち、小指及び薬指で挟持される対極位置の挟持面４ｂ、４ｃには、それぞれ対極方向に一対の凸部６ａ、６ｂが突設されている。これら凸部６ａ、６ｂは、本体部４の長手方向に対して略同じ位置に設けられている。すなわち、２つの凸部６ａ、６ｂを結ぶ直線と直交する方向が、本体部４の長手方向と略平行となる。
【００３１】
才尻４ａの４側面のうち、２つの挟持面４ｂ、４ｃの間の上面４ｄ（他の側面）には、金属板に曲げ加工を施して形成された支持具７が立設されている。この支持具７は、後述する小指のＭＰ関節の位置決めをする構造体である。具体的には、支持具７は、ＭＰ関節の動きを規制するために当接させる規制部１０と、規制部１０を本体部４から所定の間隔だけ離間させるスペーサー部９と、規制部１０及びスペーサー部９とを本体部４に固定する固定部８とから構成されている。
【００３２】
支持具７の規制部１０は本体部４の長手方向に延びる部分と、長手方向に直交する方向に延びる部分とによって略Ｌ字型に形成されている。このうち、長手方向と直交する方向に延びる部分は、小指のＭＰ関節が後方へ移動するのを規制する後方規制部１２である。また、長手方向に延びる部分は、本体部４を回転軸として小指のＭＰ関節が回転するのを規制する回転規制部１４である。図１に示すように、後方規制部１２には緩衝部１２ａが、回転規制部１４には緩衝部１４ａが設けられている。
【００３３】
このような構成の練習撥２の持ち方について図２を用いて説明する。図２は、挟持した小指側から見た使用状態を示す側面図である。
【００３４】
本実施の形態に係る練習撥２は、最初、上面４ｄに掌を密着させ、続いて、才尻４ａを小指１０５及び薬指１０４のＰＩＰ関節（第二関節）で挟むように把持される。この時、小指１０５、薬指１０４のＰＩＰ関節を２つの挟持面４ｂ、４ｃ（図１参照）に接触させる。
【００３５】
次に、小指１０５側の凸部６ｂ、薬指１０４側の凸部６ａを、それぞれ小指１０５及び薬指１０４で包むように握る。そして、上面４ｄから掌を離間させるように本体部４の前端側を親指１０１の腹で押す。この時、小指１０５は凸部６ｂ、薬指１０４は凸部６ａを握った状態であるため位置がずれることなく、凸部６ａ、６ｂを中心に本体部４が回動する。この動作によって、後端側の支持具７の後方規制部１２（緩衝部１２ａ）が小指１０５のＭＰ関節１０５ａの甲側に押し当てられる。
【００３６】
このように、隣接しているために連動し易い小指１０５と薬指１０４に同じ動きで凸部６ａ、６ｂを掴持させ、親指１０１で本体部４を回動させるだけで、ＭＰ関節１０５ａを反らせて正しい形に固定するという難しい動作が自動的に行われるので、初心者であっても理解し易い。図２には、逆側に反った小指１０５のＭＰ関節１０５ａの角度が一点鎖線１０６で示されている。
【００３７】
上記動作に続いて、本体部４の上面４ｄに押し当てられた親指１０１を、凸部６ａ、６ｂを中心に回動する本体部４が描く円弧の接線方向にのみ押圧力を加えた状態で、長手方向における適正位置に移動させる。この時、小指１０５及び薬指１０４は位置ずれが生じ難い状態に動きが規制されているので、親指１０１の動作のみに意識を集中すれば良く、親指１０１の位置決めも容易に行うことが可能である。
【００３８】
その後、薬指１０４を、凸部６ａを握ったまま、先端の指紋部分が少し裏面（上面４ｄと対極位置にある面）にかかるようにずらす。これによって、親指１０１と薬指１０４とによって対極位置にある表裏の側面を挟持することができ、親指１０１、薬指１０４及び小指１０５の３本の指だけで練習撥２を４方向からしっかりと押さえることが可能となる。これが、「正しい撥の持ち方」の基本形である。残る人差し指、中指については、薬指１０４同様、親指１０１の当たる上面４ｄの裏側に軽く添えるように載置し、薬指１０４を補助するだけでよい。
【００３９】
ただし、人によっては、親指１０１の位置決めを行った際、それまでの癖や思い込みにより、凸部６ａ、６ｂを結ぶ直線と平行な方向に力（表面を周方向へ擦るような力）を加えてしまう場合がある。この力は、親指１０１が当接している部分を本体部４の長手方向を中心軸として回転させるような力として作用する。すなわち、その本体部４の中心軸周りに手の掌が小指１０５側の外縁に向かって相対的に回転するような力が生じることにより、正しい手の形が崩れ易くなる。これに対して、本発明の練習撥２には、回転規制部１４が設けられているので、そのような相対回転を防止することが可能である。
【００４０】
次に、各部の構成について、図３を用いてさらに詳しく説明する。図３は、図１の練習撥２を三角法により表しており、（ａ）は正面図、（ｂ）は平面図、また、（ｃ）は前端側から見た側面図である。
【００４１】
図３（ａ）の正面図を参照して、後方及び側方の緩衝部１２ａ、１４ａは共に、上面４ｄから所定の間隔Ｄ１だけ離間して配置されている。具体的には、所定の間隔Ｄ１とは、図２に示したように、小指側の凸部６ｂと後方の緩衝部１２ａとの間に小指を入れることができる程度の間隔である。
【００４２】
図３（ｂ）の平面図を参照して、一対の凸部６ａ、６ｂを結ぶ線分に対する垂直二等分
線の延びる方向が、本体部４の延びる方向と平行になるように構成されているのが分かる。前端側（図１参照）に一点鎖線で示した楕円部分５は、親指が載置される領域である。このように構成されているので、小指及び薬指に対して親指を等距離の位置に安定して配置することができる。
【００４３】
また、後方の緩衝部１２ａは、小指を巻き付ける凸部６ｂの後端側と略一致するように配置されている。この後方の緩衝部１２ａの前後方向における位置は、小指を凸部６ｂに巻き付けた際に、小指のＭＰ関節が凸部６ｂの直上に位置するように設定するのが望ましい。
【００４４】
手の大きさには個人差があるが、手の厚みを考慮して、凸部６ｂよりも後端寄りに配置すると良い。
【００４５】
次に図３（ｃ）の側面図を参照して、後方の緩衝部１２ａは、小指を巻き付ける凸部６ｂの突設側の領域を含むように形成されている。斜線を施して示した領域は突設方向において凸部６ｂと重なる領域である。少なくとも、斜線を付した位置に後方の緩衝部１２ａが設けられていれば、小指のＭＰ関節の甲側が後方へ移動するのを規制する際に緩衝効果が得られる。
【００４６】
側方の緩衝部１４ａは、小指側の挟持面４ｃに対して、後方の緩衝部１２ａよりも更に突設方向へ離間した位置に設けられている。小指側の凸部６ｂが突設されている挟持面４ｃとの間に小指が挿し込める程度の間隔が設けられているのが望ましい。
【００４７】
以上のように、本発明にかかる練習撥２を用いると、形を崩すことなく安定して持ち続けることが容易になることに加えて、正しく力を加えることができるので、使い慣れた頃には、練習撥２から正式な三味線撥に違和感なく持ち換えることが可能となる。
【００４８】
（第２の実施の形態）
図４は、本発明の第２の実施の形態にかかる練習用三味線撥２２を示した全体斜視図である。以降、説明の便宜のため、練習用三味線撥２２を単に練習撥２２と呼ぶこととする。なお、第１の実施の形態に示した練習撥２と同様の構成については同一の符号を付して説明する。
【００４９】
本実施の形態にかかる練習撥２２は、前端側が銀杏葉形状に広がった伝統的な三味線撥と同形の本体部２４を有している点において第１の実施の形態と異なる。この本体部２４の才尻２４ａを形成する４側面のうち、小指及び薬指で挟持される対極位置の挟持面２４ｂ、２４ｃに、それぞれ対極方向へ一対の凸部２６ａ、２６ｂが突設されている点、及び、挟持面２４ｂ、２４ｃの間の上面２４ｄに小指のＭＰ関節の動きを規制する支持具７が立設されている点においては第１の実施の形態と同様である。
【００５０】
しかし、本実施の形態にかかる練習撥２２では、一対の凸部２６ａ、２６ｂのうち、薬指を掛ける側の凸部２６ａが、本体部２４の長手方向に対して前端寄りに配置されている。
【００５１】
支持具７については、図１の練習撥２の支持具７と同様に、ＭＰ関節の動きを規制するために当接する規制部１０と、規制部１０を本体部２４から所定の間隔だけ離間させるスペーサー部９と、規制部１０及びスペーサー部９とを本体部２４に固定する固定部８とから構成されている。そして、規制部１０の形状も同様に、小指のＭＰ関節が本体部２４の長手方向の後方へ移動することを規制する後方規制部１２と、同ＭＰ関節が本体部の長手方向を軸として回転するのを規制する回転規制部１４とが略Ｌ字型となるように形成され
ている。
【００５２】
しかし、後方規制部１２は、本体部２４の前端の中心ではなく、銀杏葉形状に両側に張り出した部分（張り出し部２４ｅ、２４ｆ）のうち、小指が掛けられる側の張り出し部２４ｆに面を傾けるように配置されている。
【００５３】
持ち方については、第１の実施の形態で詳しく述べたように、一対の凸部２６ａ、２６ｂを小指及び薬指で巻き付けながら本体部２４の才尻２４ａを挟持し、上面２４ｄに親指を押し当てながら本体部２４を凸部２６ａ、２６ｂを結ぶ直線の周りに回動させるようにして掌を上面２４ｄから離間させる。これにより、小指のＭＰ関節が逆側に反るように固定される。
【００５４】
ここで、親指の載置される部分について、図５を用いて説明する。
【００５５】
図５は図４の練習撥２２を三角法により表しており、（ａ）は正面図、（ｂ）は平面図、また、（ｃ）は前端側から見た側面図である。
【００５６】
図５（ａ）の正面図を参照して、後方及び側方の緩衝部１２ａ、１４ａは共に、上面２４ｄから所定の間隔Ｄ３だけ離間して配置されている。この所定の間隔Ｄ３は、図３（ａ）と同様に、小指側の凸部２６ｄと後方の緩衝部１２ａとの間に小指を入れることができる程度の間隔である。
【００５７】
図５（ｂ）の平面図を参照して、一対の凸部２６ａ、２６ｂを結ぶ線分に対する垂直二等分線の延びる方向が本体部２４の中心線の延びる方向ではなく、前端の銀杏葉形状の張り出し部２４ｅ、２４ｆのうち、小指側の張り出し部２４ｆに偏っているのが分かる。前端側に一点鎖線で示した楕円部分２５は、親指が載置される領域である。このように構成されているので、小指及び薬指に対して親指を等距離の位置に安定して配置することができる。
【００５８】
また、後方の緩衝部１２ａは、小指を巻き付ける凸部２６ｂの後端側と略一致するように配置されている。この後方の緩衝部１２ａの前後方向における位置は、小指を凸部２６ｂに巻き付けた際に、小指のＭＰ関節が凸部の直上に位置するように設定するのが望ましい。
【００５９】
次に図５（ｃ）の側面図を参照して、後方の緩衝部１２ａは、小指を巻き付ける凸部２６ｂの突設側の領域を含むように形成されている。少なくとも、斜線を付した位置に後方の緩衝部１２ａが設けられていれば、小指のＭＰ関節の甲側が後方へ移動するのを規制する際に緩衝効果が得られる。
【００６０】
側方の緩衝部１４ａは、小指側の挟持面２４ｃ（図４参照）に対して、後方の緩衝部１２ａよりも更に突設方向へ離間した位置に設けられている。ただし、側方の緩衝部１４ａが取り付けられている回転規制部１４の延びる方向は、前述の、凸部２６ａ、２６ｂを結ぶ線分に対する垂直二等分線の延びる方向と平行になるように形成されている。小指側の凸部２６ｂが突設されている挟持面２４ｃとの間に小指が挿し込める程度の間隔が設けられているのが望ましいのは、第１の実施の形態にかかる練習撥２の場合と同様である。
【００６１】
以上のように、本発明にかかる練習撥２２を用いると、形を崩すことなく安定して持ち続けることが容易になることに加えて、正しく力を加えることができる。更に、図１の練習撥２とは異なり、本体部２４が正式な三味線撥と同様の形状に形成されているので、練習撥２２から正式な三味線撥への持ち換えが更にスムーズになる。
【００６２】
（第３の実施の形態）
図６は、本発明の第３の実施の形態にかかる練習用三味線撥４２を示した全体斜視図である。以降、説明の便宜のため、練習用三味線撥４２を単に練習撥４２と呼ぶこととする。なお、第１又は第２の実施の形態にかかる練習用三味線撥２、２２と同様の構成については同一の符号を付して説明する。
【００６３】
本実施の形態にかかる練習撥４２は、本体部４４の形状が、第１の実施の形態において示した図１の練習撥２と同様に四角柱の角材で形成されている。しかし、支持具４７の形状が図１の練習撥２とは異なっている。
【００６４】
本実施の形態にかかる練習撥４２の支持具４７には、図１の練習撥２の支持具７のような回転規制部１４が設けられていない。この練習撥４２は、親指の力の掛け方を習得した者がステップアップのために用いることができる。このように、規制を段階的に取り除くことで、正式な持ち方における複数のポイントを個別に意識しながら習得することが可能となる。
【００６５】
なお、本実施の形態では、後方規制部５２のみからなる規制部５０は、スペーサー部４９に対してＴ字型に配置されている。したがって、小指と共に薬指のＭＰ関節も同時に規制することが可能となる。これは、各人の手の形や癖に対して必要に応じて使い分けられるものであり、少なくとも、小指側に後方規制部５２が設けられていれば良い。
【００６６】
（第４の実施の形態）
図７は、本発明の第４の実施の形態にかかる三味線撥の持ち方矯正具６０と、この持ち方矯正具６０が取り付けられる三味線撥１１０とを示した全体斜視図である。三味線撥１１０に取り付けられた持ち方矯正具６０を点線で示し、取り外した状態の持ち方矯正具６０を実線で示している。
【００６７】
この持ち方矯正具６０は、三味線撥１１０の才尻１１０ａに脱着可能な枠体を有している。この枠体６２は、三味線撥１１０の才尻１１０ａを形成する４つの側面のうち、小指及び薬指で挟持される２つの挟持面１１０ｃ、１１０ｄの一部を覆うように対向して配置された被覆部６４を有している。そして、これら２つの被覆部６４同士を繋ぐ連設部６６が三味線撥１１０の上面を覆う位置に形成されている。
【００６８】
このような構成において、正しい持ち方をするための矯正構造である一対の凸部６８は、２つの被覆部６６のそれぞれに対して立設されている。また、ＭＰ関節の動きを規制するための後方規制部１２及び回転規制部１４を備えた支持具７は、連設部６６上に立設されている。なお、これら一対の凸部６８と支持具７とからなる矯正構造の位置関係については、第２の実施の形態において図４に示した練習撥２２に設けられているものと同様である。ただし、図４の固定部８は、本実施の形態においては、枠体６２に置き換えられている。
【００６９】
この枠体６２は、両面テープ等の粘着剤を用いて三味線撥１１０に固定する構成でも良く、また、ネジ止めする構成でも良い。
【００７０】
以上のように本発明によれば、小指、薬指の位置及び小指のＭＰ関節の形が理想的に保持され、親指の腹を宛がうように載置することによって、容易に正しい撥の持ち方、すなわち正しい手の形を作ることができる。
【００７１】
また、単に正しい手の形を作るだけでなく、正しい力の掛け方も習得することが可能で
ある。
【００７２】
例えば、津軽三味線には、「音澄み（ねずみ）」と呼ばれる奏法がある。これは撥を保持した小指を立て、駒の部分に当てながら弾く奏法である。これにより、駒から太鼓への振動を遮断することができるので、独特の澄んだ音を出すことが可能となる。この奏法で演奏するためには、小指は、薬指との間に才尻を挟持すると共に、駒の部分に押し当てて、支点のように動かす必要がある。
【００７３】
そして、このような特殊な奏法を取り入れるためには、三味線撥に対して正しい力の掛け方を習得できていなければならない。本発明によれば、矯正構造による補助を利用している場合であっても、正しい力の掛け方により把持できているので、薬指と小指とで才尻を挟持しながら小指だけを伸ばすこともできる。このように、初心者が上級レベルにスムーズにステップアップすることが可能である。
【００７４】
なお、各実施の形態で示した構成は、本発明の一実施形態を例示するものであり、以下に示すような変形例も含まれる。
【００７５】
上記の第１及び第３の実施の形態では、本体部に四角柱の角材を用いた構成を例として示した。しかし、少なくとも才尻の部分が、正式な三味線撥のように四角柱状に形成されていれば良く、他の形状は限定されない。また、本体は同一の材質で構成されていなくても構わない。
【００７６】
また、上記の第１〜第３の実施の形態では、本体部に対する支持具の取り付け方法については具体的に示していないが、例えば、固定部を本体部に対してビス止めする構成や、固定部と本体部との間に粘着剤を介して固定する構成であっても良い。同様に、一対の凸部もビス止め又は粘着剤を用いた固定が可能である。さらに、一対の凸部、支持具及び本体部が一体成型されていても構わない。
【００７７】
また、上記の第１〜第３の実施の形態では、支持具の規制部が本体部から離間状態でスペーサー部によって支えられる構成を例として示した。このスペーサー部は、何れも、才尻の２つの挟持面の間の他の側面から立設されている構成であるが、本体部と規制部との間に所定の間隔を保持することができ、且つ、挟持する手に干渉しない形状であれば、例えば、本体部の軸端から延びるような構成であっても構わない。
【００７８】
また、上記の第１、第２、第４の実施の形態では、支持具がＬ字型の規制部を有する構成を例として示した。しかし、後方規制部と回転規制部とは一体に形成されていなくても構わない。それぞれが本体部から所定の間隔を設けて配置されていても良い。
【００７９】
また、上記の第４の実施の形態では、三味線撥に対して脱着可能な持ち方矯正具は、断面コノ字型の枠体を用いた構成を例として示した。しかし、枠体は、三味線撥に対して脱着可能な構成であれば、例えばクランプ等の挟持具であっても良く、枠体の形状を限定するものではない。
【産業上の利用可能性】
【００８０】
本発明の持ち方矯正具及び練習用三味線撥並びにこれらに用いられる持ち方矯正構造は、初心者、力の弱い年少者、手の動きの不自由な年配者など、自力では正しい手の形を維持することが困難な者にとって、演奏中の撥の安定性を高めるサポートとして有用である。
【符号の説明】
【００８１】
２、２２、４２      練習用三味線撥（練習撥）
４、２４      本体部
４ａ、２４ａ      才尻
４ｂ、２４ｂ      挟持面（薬指側）
４ｃ、２４ｃ      挟持面（小指側）
４ｄ、２４ｄ      上面（他の側面）
２４ｅ      張り出し部（薬指側）
２４ｆ      張り出し部（小指側）
６ａ、２６ａ      凸部（薬指側）
６ｂ、２６ｂ      凸部（小指側）
７、４７      支持具
８、４８      固定部
９、４９      スペーサー部
１０、５０      規制部
１２、５２      後方規制部
１２ａ      緩衝部
１４      回転規制部
１４ａ      緩衝部
６０      持ち方矯正具
６２      枠体
６４      被覆部
６６      連設部
６８      凸部
１０１      親指
１０２      人差し指
１０３      中指
１０４      薬指
１０５      小指
１０５ａ      （小指の）ＭＰ関節
１１０      三味線撥
１１０ａ      前端縁
１１０ｂ      才尻
１１０ｃ      挟持面（薬指側）
１１０ｄ      挟持面（小指側）
【図１】
2017194522.tif 000003
【図２】
2017194522.tif 000004
【図３】
2017194522.tif 000005
【図４】
2017194522.tif 000006
【図５】
2017194522.tif 000007
【図６】
2017194522.tif 000008
【図７】
2017194522.tif 000009
【図８】
2017194522.tif 000010